(57)【要約】【課題】製造が容易で、緩衝効果の高い包装箱を提供する。【解決手段】包装箱１０は、第１緩衝壁４０、第２緩衝壁４２、第３緩衝壁４４、第４緩衝壁４６Ａ、４６Ｂ、及び第５緩衝壁４８を備え、これらの緩衝壁が外壁と一体的に形成される。固定部材としての固定部材５０は端面５０Ａが背面板１２に当接することにより第５緩衝壁４８及び第１緩衝壁４０を所定の位置に固定し、固定部材としての第４緩衝壁５４Ａと第５緩衝壁４８とは端面５０Ｂ、５０Ｃが側面板１４Ａ、１４Ｂに各々当接することにより第２緩衝壁４２及び第３緩衝壁４４を各々所定の位置に固定し、固定部材としての第５緩衝壁４８は、折目ｖが蓋板２２Ｂに当接することにより第４緩衝壁４６Ａ、４６Ｂを各々所定の位置に固定する。包装箱１０に衝撃が加えられた場合、外壁とデジタルカメラＤの間には緩衝空間Ｓ１〜Ｓ５が構成されているので、デジタルカメラＤへの直接の衝撃は回避される。【選択図】　図１
2004059053.tif 000002
【特許請求の範囲】
【請求項１】
外面を構成する外壁と、
前記外壁と一体的に形成され、被包装物を収納する収納部屋を構成すると共に、前記外壁との間に緩衝空間を構成し、各々異なる方向に配置された少なくとも４面の緩衝壁と、
前記外壁と一体的に形成されると共に、前記緩衝壁又は前記外壁の少なくとも一方と連接され一部分が他方と当接して各緩衝壁を所定位置へ固定する固定部材と、
を備え、
前記緩衝壁は、被包装物による押圧によって前記収納部屋の外側へ変移可能とされた包装箱。
【請求項２】
前記外壁は、前記収納部屋へ前記被包装物を収納可能な開口部を有し、
前記外壁と一体的に形成され、前記開口部をカバー可能な蓋を、更に備えたことを特徴とする請求項１に記載の包装箱。
【請求項３】
前記緩衝壁を、５面備えたことを特徴とする請求項１に記載の包装箱。
【発明の詳細な説明】
【０００１】
【発明の属する技術分野】
本発明は包装箱に係り、特に、デジタルカメラ等の精密機器の包装に適用される包装箱に関する。
【０００２】
【従来の技術】
従来より、デジタルカメラ等の精密機器を包装する際には、発砲部材やプラスチック部材等の緩衝用部材を包装箱の内側に配置して、緩衝機能を持たせることが行われてきた。しかしながら、包装箱とは別に緩衝用部材を配置すると、部品点数が増えるため、コストが高くなり、組み立てにも手間がかかる。
【０００３】
これに対して、実開平６−６９１１９号公報には、包装箱と緩衝用部材とが一体的に形成されているものが開示されている。
【０００４】
しかしながら、上記公報に開示されている技術では、緩衝機能を有する緩衝壁は、接着剤を用いて所定の位置に固定されており、製造に手間が掛かる。また、上記公報に記載される技術では、緩衝壁は、被包装物の３面に対して緩衝機能を果たすのみであり、緩衝効果としては、不十分であった。
【０００５】
【発明が解決しようとする課題】
本発明は、上記事実を考慮して成されたものであり、製造が容易で、緩衝効果の高い包装箱を提供することを目的とする。
【０００６】
【課題を解決するための手段】
上記目的を達成するために、本発明の包装箱は、外面を構成する外壁と、前記外壁と一体的に形成され、被包装物を収納する収納部屋を構成すると共に、前記外壁との間に緩衝空間を構成し、各々異なる方向に配置された少なくとも４面の緩衝壁と、前記外壁と一体的に形成されると共に、前記緩衝壁又は前記外壁の少なくとも一方と連接され一部分が他方と当接して各緩衝壁を所定位置へ固定する固定部材と、を備え、前記緩衝壁は、被包装物による押圧によって前記収納部屋の外側へ変移可能とされている。
【０００７】
本発明の包装箱で被包装物を包装する際には、少なくとも４面の緩衝壁によって構成された収納部屋に被包装物が収納される。包装箱に衝撃が加えられた場合、外壁と緩衝壁との間には緩衝空間が構成されているので、被包装物への直接の衝撃伝達は回避される。
【０００８】
また、緩衝壁は固定部材によって所定の位置に固定されているが、例えば包装箱に衝撃が加えられ、被包装物により押圧されると、緩衝壁は収納部屋の外側へ変移する。これにより、被包装物への衝撃は吸収される。
【０００９】
ここで変移とは、緩衝壁等の物体自体の平行移動や回転による移動や、物体自体の変形による物体の一部の、緩衝可能な程度の移動を意味する。
【００１０】
また、上記緩衝壁が、他の緩衝壁を固定する固定部材を兼ねる場合も含まれる。
【００１１】
本発明の包装箱によれば、少なくとも４面の緩衝壁を備え、これらの緩衝壁が外壁と一体的に形成されると共に、固定部材は、緩衝壁又は外壁の少なくとも一方に連接され、一部分が他方に当接することによって各々の緩衝壁を所定の位置に固定するので、接着剤等を用いることなく緩衝壁を固定することができ、包装箱の製造を容易に行うことができると共に、高い緩衝効果を得ることができる。
【００１２】
本発明の包装箱は、請求項２に記載のように、前記外壁は、前記収納部屋へ前記被包装物を収納可能な開口部を有し、前記外壁と一体的に形成され、前記開口部をカバー可能な蓋を、更に備えたことを特徴とすることもできる。
【００１３】
本発明によれば、開口部を有するので、この開口部から被包装物の出し入れをすることができ、利便性が向上する。また、開口部をカバーする蓋を有するので、被包装物を外側に露出されることなく包装することができる。また、蓋が外壁と一体的に形成されるので、蓋を外壁と別体で設けた物と比較して、部品点数を減少させることができる。
【００１４】
また、本発明の包装箱は、請求項３に記載のように、前記緩衝壁を、５面備えたことを特徴とすることもできる。
【００１５】
本発明によれば、緩衝壁が５面備えられているので、より高い緩衝効果を得ることができる。
【００１６】
【発明の実施の形態】
以下、本発明に係る包装箱の実施の形態について、図面を参照して説明する。
【００１７】
図１は、本実施の形態の包装箱１０の斜視図であり、図２は、本実施の形態の包装箱１０の印刷面（印刷が施される面）側の展開図である。なお、図２に示される実線は所謂切取線を意味し、実線をはさんで隣接する構成要素同士は連接されておらず切り離されている。また、図２に示される二点鎖線は所謂折目線を意味し、二点鎖線をはさんで隣接する構成要素同士は連接されている。また、印刷面とは、包装箱１０が組み立てられた状態で外側になる面をいい、この面にディスプレイ効果を持たせるための印刷が施される。
【００１８】
図２に示すように、包装箱１０は、外壁としての、底面板１２、側面板１４Ａ、１４Ｂ、上面板１６、及び蓋板２０、２２Ａ、２２Ｂを備える。これらの構成要素、及び、後述する各構成要素のすべては、一枚の板から型取りされ、一体的に形成される。
【００１９】
蓋板２２Ａ、蓋板２２Ｂ、底面板１２、及び蓋板２０は、この順で一方向のＨ方向に連接されている。蓋板２２Ａと蓋板２２Ｂとは、折目ａを介して連接され、蓋板２２Ｂと底面板１２とは、折目ｂを介して連接され、底面板１２と蓋板２０とは、折目ｃを介して連接されている。蓋板２２Ａの折目ａと反対側の端辺中央部には、折目ｇを介して止め板２４が連接されている。蓋板２０の折目ｃの反対側端辺には、折目ｈを介して止め板２８が連接され、折目ｈの中央部には、止め板２４を差し込み可能な止め孔３０が穿孔されている。折目ａ〜ｃ、ｇ、及びｈは、印刷面と反対側の裏面を内側にして折り曲げ可能とされており、蓋板２２Ａ、２２Ｂ、及び蓋板２０が閉じられる際には、図３に示すように、隣接する板が互いに直交するように折り曲げられる。
【００２０】
図２に示すように、底面板１２、側面板１４Ａ、上面板１６、及び側面板１４Ｂは、この順でＨ方向と直交する方向に連接されている。側面板１４Ａと底面板１２とは、折目ｄを介して連接され、上面板１６と側面板１４Ａとは、折目ｅを介して連接され、側面板１４Ｂと上面板１６とは、折目ｆを介して連接されている。図１に示すように、折目ｄ〜ｆは、裏面を内側に、かつ、隣接する板が互いに直交するように折り曲げられる。底面板１２の折目ｄと反対側には、接着部２６が折目ｉを介して連接されており、折目ｉは、裏面を内側に、かつ、接着部２６が底面板１２と直交するように折り曲げられる。折目ｉは、側面板１４Ｂの折目ｆと反対側の端辺と一致され、接着部２６の印刷面側と側面板１４Ｂの裏面とは、接着剤によって接着されている。
【００２１】
図２に示すように、側面板１４Ａの２つの端辺には、フラップ３２、３４が各々折目ｊ、ｋを介して連接されており、側面板１４Ｂの折目ｆと直交する２つの端辺には、フラップ３６、３８が各々折目ｌ、ｍを介して連接されている。折目ｊ、ｋ、ｌ、ｍは、裏面を内側にして折り曲げ可能とされている。フラップ３２、３４、３６、３８は、蓋板２２Ａ、２２Ｂ、及び蓋板２０を閉じる際には、連接された側面板１４Ａまたは１４Ｂと直交するように折り曲げられて包装箱１０の内部に格納される。
【００２２】
図２に示すように、上面板１６には、第１緩衝壁４０、第２緩衝壁４２、第３緩衝壁４４、第４緩衝壁４６Ａ、４６Ｂが、各々折目ｎ、ｏ、ｐ、ｑ、ｒを介して連接されている。図１に示すように、折目ｎ、ｏ、ｐ、ｑ、ｒは、裏面を内側にし、かつ、上面板１６と直交するように折り曲げられる。第１緩衝壁４０には、折目ｓを介して第５緩衝壁４８が連接されており、折目ｓは印刷面を内側にし、かつ、第１緩衝壁４０と第５緩衝壁４８とが直交するように折り曲げられる。
第５緩衝壁４８の折目ｓと反対側の端辺には、折目ｖを介して固定部材５０が連接されており、折目ｖは裏面を内側にし、かつ、第５緩衝壁４８と固定部材５０とが直交するように折り曲げられる。
【００２３】
図１に示すように、固定部材５０の折目ｖに沿った端面５０Ａは、底面板１２と当接され、これにより第５緩衝壁４８が、底面板１２と平行に、かつ、所定距離離間した位置に固定される。また、図３に示すように、第１緩衝壁４０が、閉じられた状態の蓋板２０と平行に、かつ、所定距離離間した位置に固定される。
第５緩衝壁４８は、第５緩衝壁４８の印刷面側から外側に向かうＶ方向に押されることにより、Ｖ方向に変移可能となっている。また、第１緩衝壁４０は、第１緩衝壁４０の印刷面側から外側に向かうＷ方向に押されることにより、Ｗ方向に変移可能となっている。第５緩衝壁４８と底面板１２との間には、図３及び図４に示すように、緩衝空間Ｓ５が構成される。第１緩衝壁４０と蓋板２０との間には、図３に示すように、緩衝空間Ｓ１が構成される。
【００２４】
第５緩衝壁４８と第４緩衝壁４６Ａとは、折目ｔを介して連接されており、折目ｔは印刷面を内側にし、かつ、第５緩衝壁４８と第４緩衝壁４６Ａとが直交するように折り曲げられる。第５緩衝壁４８と第４緩衝壁４６Ｂとは、折目ｕを介して連接されており、折目ｕは印刷面を内側にし、かつ、第５緩衝壁４８と第４緩衝壁４６Ｂとが直交するように折り曲げられる。図３に示すように、折目ｖは、閉じられた状態の蓋板２２Ｂに当接され、これにより第５緩衝壁４８に連接された第４緩衝壁４６Ａ、４６Ｂが、閉じられた状態の蓋板２２Ｂと平行に、かつ、所定距離離間した位置に固定される。第４緩衝壁４６Ａ、４６Ｂは、第４緩衝壁４６Ａ、４６Ｂの裏面側から外側に向かうＸ方向に押されることにより、Ｘ方向に変移可能となっている。第４緩衝壁４６Ａ、４６Ｂと蓋板２２Ｂとの間には、図３に示すように緩衝空間Ｓ４が構成される。
【００２５】
図１に示すように、第４緩衝壁４６Ａは、折目ｑの延長上に位置する端辺側に、切欠部５４Ａを備え、第２緩衝壁４２は、折目ｑの延長上の端辺側に、折目ｑよりも第２緩衝壁４２の外側に突出した、突出部４２Ａを備える。切欠部５４Ａには突出部４２Ａが係合される。これと同様に、第４緩衝壁４６Ｂは、折目ｒの延長上に位置する端辺側に、切欠部５４Ｂを備え、第３緩衝壁４４は、折目ｒの延長上の端辺側に、折目ｒよりも第３緩衝壁４４の外側に突出した、突出部４４Ａを備える。切欠部５４Ｂには突出部４４Ａが係合される。
【００２６】
固定部材５０から第５緩衝壁４８にかけての折目ｖと直交する一の端面５０Ｂは、側面板１４Ａの内側に当接されており、固定部材５０、第５緩衝壁４８、及び第４緩衝壁４６Ｂにより、第３緩衝壁４４が側面板１４Ａと平行に、かつ、所定距離離間した位置に固定される。第３緩衝壁４４は、第３緩衝壁４４の印刷面側から外側に向かうＹ方向に押されることにより、Ｙ方向に変移可能となっている。第３緩衝壁４４と側面板１４Ａとの間には、図４に示すように、緩衝空間Ｓ３が構成される。
【００２７】
固定部材５０から第５緩衝壁４８にかけての折目ｖと直交する他の端面５０Ｃは、側面板１４Ｂの内側に当接されており、固定部材５０、第５緩衝壁４８、及び第４緩衝壁４６Ａにより、第２緩衝壁４２が側面板１４Ｂと平行に、かつ、所定距離離間した位置に固定される。第２緩衝壁４２は、第２緩衝壁４２の印刷面側から外側に向かうＺ方向に押されることにより、Ｚ方向に変移可能となっている。第２緩衝壁４２と側面板１４Ｂとの間には、図４に示すように緩衝空間Ｓ２が構成される。
【００２８】
第５緩衝壁４８の第１緩衝壁４０側の中央部には、切込部４９が形成されている。切込部４９は、第１緩衝壁４０と同一面上に位置し、端面が底面板１２と当接されている。この切込部４９は、底面板１２と当接されることにより、第５緩衝壁４８の位置決めに寄与している。
【００２９】
第１緩衝壁４０の折目ｎ側から上面板１６にかけては、折目ｎと直交する２本の切込５２Ａ、５２Ｂが形成されている。切込５２Ａと５２Ｂとの間には、切込部５２が形成されており、切込部５２の折目ｎに沿った中央部には、折目ｚが形成されている。切込部５２は、折目ｘ及び折目ｙを介して第１緩衝壁４０及び上面板１６の各々と連接されている。切込部５２は、印刷面を内側にして折目ｚで折り曲げられており、折目ｘ及び折目ｙは、裏面を内側にし、かつ、隣接する板が互いに直交するように折り曲げられる。ユーザーは、切込部５２と後述するデジタルカメラＤとの間に形成される空間に指を入れることにより、容易にデジタルカメラＤを取り出すことができる。
【００３０】
第１緩衝壁４０、第２緩衝壁４２、第３緩衝壁４４、第４緩衝壁４６Ａ、４６Ｂ、及び第５緩衝壁４８の内側には、被包装物としてのデジタルカメラＤを収納する収納部屋Ｒが構成されると共に、収納部屋Ｒの第５緩衝壁４８と反対側には、開口部Ｋが構成される。
【００３１】
上記構成によれば、蓋板２２Ａ、２２Ｂを開けた状態で表出される部分のほとんどが印刷面なので、蓋板を開けたときのディスプレイ効果を得ることもできる。
【００３２】
上記のようにして構成された収納部屋Ｒに、開口部ＫからデジタルカメラＤが収納される。蓋板２０が裏面を内側にし、かつ、蓋板２０と底面板１２とが直交するように折り曲げられ、止め板２８が上面板１６の内側に差し込まれる。蓋板２２Ａ、２２Ｂが裏面を内側にし、かつ、蓋板２２Ａ、２２Ｂと隣接する板とが互いに直交するように折り曲げられ、止め板２４が止め孔３０に差し込まれて、デジタルカメラＤの包装が完了する。
【００３３】
なお、図５に示すように、蓋板２０の止め板２８側中央部に、止め板２７を形成すると共に、蓋板２２Ａの折目ｇの中央部に切目２９を形成し、止め板２７を切目２９に差し込んで二重ロック可能な構造とすることもできる。
【００３４】
次に、本実施の形態の作用について説明する。
【００３５】
デジタルカメラＤが包装された状態で、包装箱１０に衝撃が加えられた場合、底面板１２、側面板１４Ａ、１４Ｂ、蓋板２０、及び蓋板２２Ｂの少なくとも１つの一部分が、包装箱１０の内側に変移するが、これらの外壁とデジタルカメラＤの間には緩衝空間Ｓ１〜Ｓ５が構成されているので、デジタルカメラＤへの直接の衝撃は回避される。
【００３６】
また、衝撃が加えられてデジタルカメラＤにより、第１緩衝壁４０が押圧されると、第１緩衝壁４０は、固定部材５０による固定に抗して、Ｗ方向に変移する。また、デジタルカメラＤにより、第５緩衝壁４８が押圧されると、第５緩衝壁４８は、固定部材５０による固定に抗して、Ｖ方向に変移する。また、デジタルカメラＤにより、第２緩衝壁４２が押圧されると、第２緩衝壁４２は、第４緩衝壁５４Ａと第５緩衝壁４８とによる固定に抗して、Ｚ方向に変移する。また、デジタルカメラＤにより、第３緩衝壁４４が押圧されると、第３緩衝壁４４は、第４緩衝壁５４Ａと第５緩衝壁４８とによる固定に抗して、Ｙ方向に変移する。そして、デジタルカメラＤにより、第４緩衝壁４６Ａ、４６Ｂが押圧されると、第４緩衝壁４６Ａ、４６Ｂは、第５緩衝壁４８による固定に抗して、Ｘ方向に変移する。これにより、デジタルカメラＤへの衝撃は吸収される。
【００３７】
本発明の包装箱１０によれば、５面の緩衝壁を備え、これらの緩衝壁が外壁と一体的に形成されると共に、固定部材が緩衝壁に連接される。固定部材５０は端面５０Ａが底面板１２に当接することにより第５緩衝壁４８及び第１緩衝壁４０を所定の位置に固定し、固定部材としての第４緩衝壁４６Ａ、４６Ｂと第５緩衝壁４８とは端面５０Ｂ、５０Ｃが側面板１４Ａ、１４Ｂに各々当接することにより第２緩衝壁４２及び第３緩衝壁４４を各々所定の位置に固定し、第５緩衝壁４８は、折目ｖが蓋板２２Ｂに当接することにより第４緩衝壁４６Ａ、４６Ｂを各々所定の位置に固定する。したがって、接着剤等を用いることなく緩衝壁を固定することができ、包装箱の製造を容易に行うことができる。
【００３８】
また、本実施の形態の包装箱１０は、蓋板２２Ａ、２２Ｂ、２０、と外壁とが一体的に形成されているので、蓋が外壁と別体に設けられた場合と比較して、部品点数を減少させることができる。
【００３９】
なお、蓋板２２Ａは必ずしも必要な構成要素ではなく、蓋板２２Ｂが底面板１２と直交する位置に固定され、外壁として機能するものであってもよい。
【００４０】
また、緩衝壁は必ずしも５面である必要はなく、本実施の形態の包装箱１０の緩衝壁のいずれか１つが欠けたものであってもよいが、特に、本実施の形態の包装箱１０は、緩衝壁を５面備えているので、高い緩衝効果を得ることができる。
【００４１】
また、本実施の形態の包装箱１０は、開口部Ｋを有するので、開口部Ｋから被包装物の出し入れをすることができ、利便性が向上する。また、開口部Ｋをカバーする蓋板２２Ａ、２２Ｂを有するので、被包装物を外側に露出されることなく包装することができる。
【００４２】
また、緩衝空間Ｓ１〜Ｓ５に同梱物や付属品を収納することができる。
【００４３】
【発明の効果】
上記説明したように、本発明によれば、少なくとも４面の緩衝壁を備え、これらの緩衝壁が外壁と一体的に形成されると共に、固定部材は、緩衝壁又は外壁の少なくとも一方に連接され、一部分が他方に当接することによって各々の緩衝壁を所定の位置に固定するので、接着剤等を用いることなく緩衝壁を固定することができ、包装箱の製造を容易に行うことができると共に、高い緩衝効果を得ることができる。
【図面の簡単な説明】
【図１】本実施の形態の包装箱の斜視図である。
【図２】本実施の形態の包装箱の展開図である。
【図３】図１に示す本実施の形態の包装箱のＡ−Ａの断面図である。
【図４】図１に示す本実施の形態の包装箱のＢ−Ｂの断面図である。
【図５】本実施の形態の変形例の展開図である。
【符号の説明】
１０　　包装箱
１２　　底面板（外壁）
１４Ａ、１４Ｂ　側面板（外壁）
１６　　上面板（外壁）
２０、２２Ｂ　　蓋板（外壁）
２２Ａ　蓋板（蓋）
４０　　第１緩衝壁（緩衝壁）
４２　　第２緩衝壁（緩衝壁）
４４　　第３緩衝壁（緩衝壁）
４６Ａ、４６Ｂ　第４緩衝壁（緩衝壁、固定部材）
４８　　第５緩衝壁（緩衝壁、固定部材）
５０　　固定部材
Ｄ　　　デジタルカメラ
Ｋ　　　開口部
Ｒ　　　収納部屋
Ｓ１〜Ｓ５　　　緩衝空間
【図１】
2004059053.tif 000003
【図２】
2004059053.tif 000004
【図３】
2004059053.tif 000005
【図４】
2004059053.tif 000006
【図５】
2004059053.tif 000007